(57)【特許請求の範囲】
【請求項１】
表紙面を備える表紙部と、
裏表紙面を備える裏表紙部と、
背表紙面を備える背表紙部と、
シート材からなり、上下方向を長手方向とする略長方形状であり、前記表紙面若しくは前記裏表紙面の何れかから前記背表紙面に亘って設けられ、又は、前記背表紙面を介して前記表紙面から前記裏表紙面に亘って設けられ、又は、前記背表紙面に設けられ、前記表紙部と前記裏表紙部が開いた状態における小口側に開口部が設けられるポケット部と、
を有し、
前記開口部の縁部は、前記小口よりも前記背表紙面寄りの位置に設けられることを特徴とするファイル。
【請求項２】
前記開口部の外面側の縁部は、外方向にせり上がるガイド部を備えることを特徴とする請求項１に記載のファイル。
【請求項３】
前記ガイド部は、小口側最端部に設けられることを特徴とする請求項２に記載のファイル。
【請求項４】
前記開口部の外面側の縁部近傍には、前記ポケット部の外面側から打ち付けられるプレス加工により形成される線状溝を有することを特徴とする請求項１乃至請求項３の何れか記載のファイル。
【請求項５】
前記開口部の外面側の縁部には、切欠部が形成されることを特徴とする請求項１乃至請求項４の何れか記載のファイル。
【請求項６】
前記開口部の外面側の縁部は、曲線状に形成されることを特徴とする請求項１乃至請求項５の何れか記載のファイル。
【請求項７】
前記ポケット部は、小口側が緩やかな凸円弧状に形成される一対の前記シート材の先端側の一部を重ねて前記表紙面及び前記裏表紙面に溶着して形成されることを特徴とする請求項１乃至請求項６の何れか記載のファイル。
【発明の詳細な説明】
【技術分野】
【０００１】
本発明は、書類等を収容するファイルに関する。
【背景技術】
【０００２】
従来から、ファイルの内容等を表示する台紙を挿抜可能なポケット部を背表紙面に備えるファイルが開示されている。例えば、特許文献１に開示されるファイルには、シート材からなるポケット部が背表紙面に設けられる。このポケット部は、ファイルの上方から台紙を挿抜できるように、ポケット部の上部に開口部が形成される。
【先行技術文献】
【特許文献】
【０００３】
【特許文献１】特許第４０１８４５１号
【発明の概要】
【発明が解決しようとする課題】
【０００４】
ポケット部に挿抜される台紙は、一般的には、特許文献１に示されるように、横方向の長さよりも上下方向の長さが数倍程度長い。そして、この台紙は、一般的な厚みの紙で形成される。すると、ポケット部に台紙を挿入する際、台紙が折れる場合があり、使用者は台紙の挿入時に慎重に作業をする必要があった。
【０００５】
本発明は、ファイルの内容等を背表紙面に表示する台紙を挿抜可能なポケット部に対して台紙の挿入がし易いファイルを提供することを目的とする。
【課題を解決するための手段】
【０００６】
本発明に係るファイルは、表紙面を備える表紙部と、裏表紙面を備える裏表紙部と、背表紙面を備える背表紙部と、シート材からなり、前記表紙面若しくは前記裏表紙面の何れかから前記背表紙面に亘って設けられ、又は、前記背表紙面を介して前記表紙面から前記裏表紙面に亘って設けられ、又は、前記背表紙面に設けられ、前記表紙部と前記裏表紙部が開いた状態における小口側に開口部が設けられるポケット部と、を有する。
【発明の効果】
【０００７】
本発明によれば、ファイルの内容等を背表紙面に表示する台紙を挿抜可能なポケット部に対して、台紙を容易に挿入することができるファイルを提供することができる。
【図面の簡単な説明】
【０００８】
【図１】本発明の実施形態に係るファイルを示す表紙面側から見た斜視図である。
【図２】本発明の実施形態に係るファイルを示す裏表紙面側から見た斜視図である。
【図３】本発明の実施形態に係るファイルのポケット部を示す正面図である。
【図４】本発明の実施形態に係るファイルのポケット部を示す図３のＩＶ−ＩＶ断面図である。
【図５】本発明の実施形態に係るファイルのポケット部の変形例を示す図であり、（ａ）は変形例１を示す正面図であり、（ｂ）は変形例２を示す正面図である。
【図６】本発明の実施形態に係るファイルのポケット部の変形例を示す図であり、（ａ）は変形例３を示す正面図であり、（ｂ）は変形例４を示す正面図である。
【発明を実施するための形態】
【０００９】
以下、図に基づいて、本発明の実施形態を説明する。図１及び図２に示すファイル１は、内部に透明な樹脂製の薄いシートを重ねて袋状に形成した収納シート３を複数備える、いわゆるクリアファイルである。収納シート３を内部に納めるファイル１のファイル本体５は、長矩形状の１枚の樹脂製板材から形成される。ファイル本体５は、長矩形状の樹脂製板材の略中央部における短辺に平行な方向に、内側に所定の間隔で施した２本の溝が折り曲げられて折り曲げ部５ａ，５ｂを形成する。
【００１０】
折り曲げ部５ａ，５ｂで折り曲げられたファイル本体５は、背表紙部６と、表紙部７及び裏表紙部８が形成される。ここで、以下の説明においては、背表紙部６側を背Ｄ１とし、その反対側を小口Ｄ２として説明する。そして、本実施形態で示すファイル１は、収納シート３にＡ４サイズの書類を縦向きに収納できる左開きのファイルであり、背表紙部６の幅は約１０ｍｍ程度である。
【００１１】
背表紙部６、表紙部７及び裏表紙部８は、それぞれの表面が背表紙面６ａ、表紙面７ａ、裏表紙面８ａとされる。そして、ファイル本体５には、上下方向を長手方向とする略長矩形状のポケット部１０が設けられる。ポケット部１０は、ポケット部１０の短辺方向が表紙面７ａから背表紙面６ａに亘って設けられる。ポケット部１０は、透明な樹脂製のシート材からなる一対の第１シート１１と第２シート１２の２枚がファイル本体５に熱溶着されて形成される。第１シート１１と第２シート１２は、それぞれファイル本体５の折り曲げ部５ａ，５ｂにて折り曲げられる。そして、ポケット部１０には、小口Ｄ２側に開口部１３が形成される。
【００１２】
ポケット部１０は、開口部１３から、二点鎖線で示す紙製の台紙２０を挿抜可能とされている。台紙２０は、例えば紙材料により形成して表面にファイル１の収納シート３に収納する書類の種別等を記載しておくことができる。台紙２０の挿抜は、ファイル本体５を開いた状態で行う。
【００１３】
ポケット部１０の第１シート１１と第２シート１２は、対称に形成される。図１、図２及び図３にも示すように、第１シート１１及び第２シート１２は、それぞれ、小口Ｄ２側が緩やかな凸円弧状の曲線部１１ａ，１２ａとされて、その反対側は直線状の直線部１１ｂ，１２ｂとされ、直線状の基辺部１１ｃ，１２ｃから先端に掛けて幅狭化するよう形成される。ファイル本体５への取付けは、第２シート１２が第１シート１１の上側となるように第１シート１１と第２シート１２の先端側の一部が重ねられ、基辺部１１ｃ，１２ｃにおける小口Ｄ２側端部の一部が表紙面７ａに熱溶着され、直線部１１ｂ，１２ｂは裏表紙面８ａに熱溶着される。従って、基辺部１１ｃ，１２ｃの熱溶着部（小矩形が直線状に複数表されている部分）と直線部１１ｂ，１２ｂとの間は熱溶着されずに表紙面７ａと第１シート１１、第２シート１２が離間可能な部位が形成される。これにより、ファイル１が閉じたときには第１シート１１及び第２シート１２が適度に張った状態となり、ファイル１が開くときには表紙面７ａと第１シート１１、第２シート１２が離間して、第１シート１１及び第２シート１２に過度に力が加わって熱溶着部が剥がれる等の不具合が低減される。
【００１４】
さらに、基辺部１１ｃ，１２ｃと曲線部１１ａ，１２ａとの接続部近傍における曲線部１１ａ，１２ａには、切欠部１１ａ１，１２ａ１が設けられる。この切欠部１１ａ１，１２ａ１により、曲線部１１ａ，１２ａ側から第１シート１１及び第２シート１２をそれぞれ外方向に持ち上げた際に、熱溶着部に引っ張られて基辺部１１ｃ，１２ｃ付近の曲線部１１ａ，１２ａが破損してしまうことが低減される。そして、切欠部１１ａ１，１２ａ１から先端方向に向けて、開口部１３の外面側の縁部近傍には線状溝１１ｄ，１２ｄが形成される。線状溝１１ｄ，１２ｄは、曲線部１１ａ，１２ａと略同一の曲率の凸円弧状に形成される。
【００１５】
線状溝１１ｄ，１２ｄは、ポケット部１０の第１シート１１、第２シート１２の外面側から、例えばプレス加工により線状のダイを押し付けるようにして形成される。すると、図４に示すように、線状溝１２ｄよりも小口Ｄ２側は、表紙面７ａから外方向（図４では上方向）にせり上がるガイド部１２ｅが形成される。このように、開口部１３において、表紙面７ａと第２シート１２の下面との間に隙間が形成される。従って、台紙２０をポケット部１０に挿入する際に、台紙２０をスムーズに挿入することができる。なお、図４は第２シート１２についての断面図であるが、第１シート１１も同様である。
【００１６】
なお、線状溝１１ｄ，１２ｄは、ガイド部１１ｅ，１２ｅを形成することが出来ればよく、例えば、多数の針を点状に打ち付けて縁部をせり上がらせて形成したり、シートの成形時に金型により形成したりすることもできる。しかしながら、プレス加工により線状溝１１ｄ，１２ｄを形成すれば、第１シート１１及び第２シート１２をシート材から打ち抜いて製作するときに同時に線状溝１１ｄ，１２ｄを形成する加工を施すことができ、製作に掛かる時間を短縮することができる。線状溝１１ｄ，１２ｄの縦断面における形状は、図４に示す凹状の円弧状の他、Ｕ字状やＶ字状等種々の形状とすることができる。
【００１７】
すなわち、第１シート１１及び第２シート１２と表紙部７の表紙面７ａとで形成されるポケット部１０の小口Ｄ２側に形成される開口部１３における外面側である第１シート１１及び第２シート１２の最端部の縁部を外方向にせり上がるようにしてガイド部１１ｅ，１２ｅを形成した。換言すると、図３に示すように、開口部１３のうち、上下方向を長手方向とする長矩形状の台紙２０を挿入する際に最初に挿入される部位にガイド部１１ｅ，１２ｅを形成した。これにより、第１シート１１及び第２シート１２と表紙面７ａとの間に十分な隙間が形成されて、台紙２０の挿入側端部はこの隙間に最初にガイドされて挿入されるので、以後は第１シート１１及び第２シート１２の間にスムーズに挿入されることとなる。
【００１８】
さらに、ポケット部１０は、小口Ｄ２側に開口部１３が形成されているので、台紙２０を横方向から挿入することとなる。従って、台紙２０の挿入時において台紙２０が折れてしまう等の不具合を低減することができる。
【００１９】
また、本実施形態に係るポケット部１０は、第１シート１１と第２シート１２を一部重ねると共に、ポケット部１０の小口Ｄ２側を緩やかな凸円弧状とした。これにより、第２シート１２に紙を仮挿ししておくことができると共に、曲線部１１ａ，１２ａを備えることで意匠性の高いポケット部を備えたファイル１とすることができる。
【００２０】
次に、ポケット部１０の変形例を、図に基づいて説明する。
（変形例１）
図５（ａ）に示すポケット部１０Ａは、１枚の樹脂製のシート材から形成される。ポケット部１０Ａは、長手方向をファイル１の上下方向とした略長矩形状とされるシート１１Ａの両側の短辺部１１Ａｃの一部と、図示しない長手方向の背Ｄ１側の長辺部が、それぞれ表紙面７ａ及び裏表紙面８ａと溶着されている。そして、開口部１３Ａの外面側の縁部は、直線部１１Ａａとされている。直線部１１Ａａの両端には切欠部１１Ａａ１が形成されて、この切欠部１１Ａａ１を接続するように線状溝１１Ａｄが設けられる。線状溝１１Ａｄが形成されることで、外方向にせり上がるガイド部１１Ａｅが形成される。ガイド部１１Ａｅは、開口部１３Ａの小口側（図５（ａ）における右側）縁部の最端部に形成される。
【００２１】
（変形例２）
図５（ｂ）に示すポケット部１０Ｂは、上述の変形例１の開口部１３Ａの外面側の縁部が直線状であるのに対して、開口部１３Ｂの外面側の縁部を対称な凸円弧状の曲線部１１Ｂａとした。そして、シート１１Ｂの短辺部１１Ｂｃと曲線部１１Ｂａの接続部近傍における曲線部１１Ｂａの両端に形成される切欠部１１Ｂａ１からは、所定長さの線状溝１１Ｂｄが設けられる。これにより、開口部１３Ｂには、小口側（図５（ｂ）における右側）縁部の最端部にガイド部１１Ｂｅが形成される。
【００２２】
（変形例３）
図６（ａ）に示すポケット部１０Ｃは、開口部１３Ｃの縁部を凹円弧状の曲線部１１Ｃａとした。本変形例においても、シート１１Ｃの短辺部１１Ｃｃと曲線部１１Ｃａの接続部近傍における曲線部１１Ｃａの両端に形成される切欠部１１Ｃａ１から線状溝１１Ｃｄが所定長さ設けられ、小口側（図６（ａ）における右側）縁部の最端部にガイド部１１Ｃｅが形成される。
【００２３】
（変形例４）
図６（ｂ）に示すポケット部１０Ｄは、開口部１３Ｄの縁部を凸円弧状の曲線部１１Ｄａとした。本変形例においても、シート１１Ｄの短辺部１１Ｄｃと曲線部１１Ｄａの接続部近傍における曲線部１１Ｄａの両端には切欠部１１Ｄａ１が形成されるが、線状溝１１Ｄｄは、曲線部１１Ｄａの頂部近傍に所定長さ設けられて、これにより小口側（図６（ｂ）における右側）縁部の最端部にガイド部１１Ｄｅが形成される。
【００２４】
図５（ａ），（ｂ）、図６（ａ），（ｂ）で示すように、ポケット部の開口部の形状は、種々の形態を採用することができる。
【００２５】
以上、本発明の実施形態を説明したが、本発明は本実施形態によって限定されることは無く、種々の形態で実施することができる。例えば、本実施形態においては、１枚又は２枚のシート材をファイル本体５に固定してポケット部１０，１０Ａ〜１０Ｄを形成したが、これに限られず、例えば２枚のシート材を貼り合わせて袋状に形成したものをファイル本体５に熱溶着等で固定することでポケット部を形成することができる。また、本実施形態のポケット部１０，１０Ａ〜１０Ｄは、表紙面７ａから背表紙面６ａに亘って形成したが、背表紙面６ａを介して表紙面７ａから裏表紙面８ａに亘って台紙２０が挿入されるよう形成することができるし、背表紙面６ａのみに形成することもできる。ポケット部が何れの箇所に形成された場合でも、ポケット部の開口部は、表紙部と裏表紙部が開いた状態における小口側に形成される。この場合、ポケット部の両側２箇所に開口部を設けても良いし、一方側のみ開口部を設けることができる。さらに、本実施形態ではＡ４サイズのクリアファイルについて説明したが、様々な大きさのファイルに適用することができるし、リングファイルやバインダー等の各種ファイルにも本発明を適用することができる。
【符号の説明】
【００２６】
１          ファイル                ３          収納シート
５          ファイル本体            ５ａ        折り曲げ部
５ｂ        折り曲げ部              ６          背表紙部
６ａ        背表紙面                ７          表紙部
７ａ        表紙面                  ８          裏表紙部
８ａ        裏表紙面
１０，１０Ａ，１０Ｂ，１０Ｃ，１０Ｄ  ポケット部
１１  第１シート
１１Ａ，１１Ｂ，１１Ｃ，１１Ｄ  シート
１１Ａａ  直線部
１１Ｂａ，１１Ｃａ，１１Ｄａ  曲線部
１１Ａａ１，１１Ｂａ１，１１Ｃａ１，１１Ｄａ１  切欠部
１１Ａｃ，１１Ｂｃ，１１Ｃｃ，１１Ｄｃ  短辺部
１１Ａｄ，１１Ｂｄ，１１Ｃｄ，１１Ｄｄ  線状溝
１１Ａｅ，１１Ｂｅ，１１Ｃｅ，１１Ｄｅ  ガイド部
１１ａ      曲線部                  １１ａ１    切欠部
１１ｂ      直線部                  １１ｃ      基辺部
１１ｄ      線状溝                  １１ｅ      ガイド部
１２        第２シート              １２ａ      曲線部
１２ａ１    切欠部                  １２ｂ      直線部
１２ｃ      基辺部                  １２ｄ      線状溝
１２ｅ      ガイド部
１３，１３Ａ，１３Ｂ，１３Ｃ，１３Ｄ  開口部
２０        台紙                    Ｄ１        背
Ｄ２        小口
【図１】
0006989106.tif 000002
【図２】
0006989106.tif 000003
【図３】
0006989106.tif 000004
【図４】
0006989106.tif 000005
【図５】
0006989106.tif 000006
【図６】
0006989106.tif 000007